(57)【特許請求の範囲】
【請求項１】
液晶ディスプレイモニタのバックライトを駆動するバックライト駆動回路において、
ＬＣ共振回路を有し、このＬＣ共振回路の共振周波数で発振し、この発振周波数の駆動信号を上記バックライトに供給する発振回路と、
入力映像信号の周波数を検出し、検出した周波数に応じて上記発振回路の発振周波数を調整する制御手段と
を備え、
上記制御手段は、
入力映像信号の周波数が所定のしきい値以下であるとき、上記発振周波数が上記しきい値よりも大きくなるように、上記ＬＣ共振回路の容量値またはインダクタンス値を切り替え、
入力映像信号の周波数が上記しきい値よりも大きいとき、上記発振周波数が上記しきい値以下になるように、上記ＬＣ共振回路の容量値またはインダクタンス値を切り替える
ことを特徴とするバックライト駆動回路。
【請求項２】
上記ＬＣ共振回路は、
第１のノードと第２のノードの間に並列に接続されたＮ（Ｎは２以上の整数）個のコンデンサと、
上記Ｎ個の内の（Ｎ−１）個のコンデンサにそれぞれ直列に設けられ、ＯＮのときコンデンサと第２のノードの間を接続し、ＯＦＦのときコンデンサと第２のノードの間を開放する（Ｎ−１）個のスイッチと
を有し、
上記制御手段は、
上記（Ｎ−１）個のスイッチをそれぞれＯＮ／ＯＦＦさせることにより、上記Ｎ個のコンデンサによる合成容量を変化させ、
入力映像信号の周波数が上記しきい値以下であるとき、上記発振周波数を上記しきい値よりも大きな値とし、
入力映像信号の周波数が上記しきい値よりも大きいとき、上記発振周波数を上記しきい値以下の値とする
ことを特徴とする請求項１記載のバックライト駆動回路。
【請求項３】
Ｎ≧３であり、
上記制御手段は、
入力映像信号の周波数が上記しきい値以下であるとき、上記発振周波数を、上記しきい値よりも大きな値であって、入力映像信号の周波数の整数倍および整数分の１倍に近接しない値とし、
入力映像信号の周波数が上記しきい値よりも大きいとき、上記発振周波数を、上記しきい値以下の値であって、入力映像信号の周波数の整数倍および整数分の１倍に近接しない値とする
ことを特徴とする請求項２記載のバックライト駆動回路。
【請求項４】
上記ＬＣ共振回路は、
直列に接続されたＮ（Ｎは２以上の整数）個のコンデンサと、
上記Ｎ個の内の（Ｎ−１）個のコンデンサにそれぞれ並列に設けられ、ＯＮのときコンデンサの端子間を短絡させ、ＯＦＦのときコンデンサの端子間を開放する（Ｎ−１）個のスイッチと
を有し、
上記制御手段は、
上記（Ｎ−１）個のスイッチをそれぞれＯＮ／ＯＦＦさせることにより、上記Ｎのコンデンサによる合成容量を変化させ、
入力映像信号の周波数が上記しきい値以下であるとき、上記発振周波数を上記しきい値よりも大きな値とし、
入力映像信号の周波数が上記しきい値よりも大きいとき、上記発振周波数を上記しきい値以下の値にする
ことを特徴とする請求項１記載のバックライト駆動回路。
【請求項５】
上記ＬＣ共振回路は、
途中にＮ（Ｎは２以上の整数）個のタップを設けたコイルと、
隣接するタップ間にそれぞれ設けられ、ＯＮのときタップ間を短絡し、ＯＦＦのときタップ間を開放する（Ｎ−１）個のスイッチと
を有し、
上記制御手段は、
上記（Ｎ−１）個のスイッチをそれぞれＯＮ／ＯＦＦさせることにより、上記コイルのインダクタンス値を変化させ、
入力映像信号の周波数が上記しきい値以下であるとき、上記発振周波数を上記しきい値よりも大きな値とし、
入力映像信号の周波数が上記しきい値よりも大きいとき、上記発振周波数を上記しきい値以下の値とする
ことを特徴とする請求項１記載のバックライト駆動回路。
【請求項６】
上記バックライトに供給された上記駆動信号を上記制御手段に帰還させる手段をさらに備え、
上記制御手段は、上記帰還された駆動信号の周波数を検出し、検出した周波数をもとに、上記ＬＣ共振回路の容量値またはインダクタンス値を切り替える
ことを特徴とする請求項１記載のバックライト駆動回路。
【発明の詳細な説明】
【０００１】
【発明の属する技術分野】
本発明は、液晶ディスプレイモニタのバックライトを駆動するバックライト駆動回路に関するものである。
【０００２】
【従来の技術】
図７は従来のバックライト駆動回路の構成図である。図７において、１は液晶ディスプレイモニタのバックライト、２はバックライト１を駆動するトランス、２ａはトランス２の１次コイル、２ｂはトランス２の２次コイル、２ｃはトランス２の３次コイル、３はトランス２のインダクタンスとＬＣ共振回路を構成するコンデンサ、４，５は上記のＬＣ共振回路を発振させるためのトランジスタ（ここではｎｐｎバイポーラトランジスタ）、６はバックライト１をＯＮ／ＯＦＦするとともにバックライト１の光量を調節するためのトランジスタ（ここではｐｎｐバイポーラトランジスタ）、７はトランジスタ６をスイッチングさせる電源制御回路、１００はマイコン、１２１は発振回路である。
【０００３】
次に、図７の従来のバックライト駆動回路の動作について説明する。マイコン１００は、バックライト１のＯＮ／ＯＦＦ（発光／非発光）を制御する信号を電源制御回路７に送る。電源制御回路７は、マイコン１００からの制御信号がバックライト１をＯＮさせるものであるときは、電源供給トランジスタ６のベースにパルス信号を供給する。また、電源制御回路７は、マイコン１００からの制御信号がバックライト１をＯＦＦさせるものであるときは、上記のパルス信号の供給を停止する。
【０００４】
トランジスタ６は、電源制御回路７からのパルス信号によってスイッチングし（上記のパルス信号がローレベルになるとＯＮし、ハイレベルになるとＯＦＦする）、ＯＮの期間に電源電圧ＶDDをノードＮ4に供給する。また、トランジスタ６は、上記のパルス信号が供給されないときには、ＯＦＦしたままとなり、上記の電源電圧ＶDDの供給を停止する。トランジスタ６からノードＮ4に供給された電源電圧ＶDDは、チョークコイルおよびダイオードによって平滑化されるとともに上記パルス信号のデューティ比に応じた値に調整され、ノードＮ3（発振回路１２１）に供給される。
【０００５】
上記の調整された電源電圧は、トランス２の１次コイル２ａの中間タップに供給される。また、上記の調整された電源電圧は、トランジスタ４，５のベースをバイアス抵抗によってそれぞれバイアスする。トランス２のインダクタンスとコンデンサ３とは、共振回路を構成している。この共振回路は、上記の電源電圧が供給されているときに、トランジスタ４，５によって、トランス２のインダクタンスとコンデンサ３のキャパシタンスによる共振周波数ｆで継続的に発振し、１次コイル２ａの両端に周波数ｆの交流電圧を誘起させる。
【０００６】
トランジスタ４，５は、ベース電極がトランス２の３次コイル２ｃの両端にそれぞれ接続されており、一方がＯＮすると他方がＯＦＦするようにスイッチング動作し、上記の共振回路を継続的に発振させる。１次コイル２ａに流れる電流が変化すると、３次コイル２ｃに流れる電流の方向が反転する。これにより、トランジスタ４，５のベース電圧が反転し、トランジスタ４，５のＯＮ／ＯＦＦも反転する。このように、トランジスタ４，５は、共振周波数ｆと同じ周波数で自励的かつ継続的にスイッチングする。これにより、共振回路が共振周波数ｆで継続的に発振し、１次コイル２ａの両端に周波数ｆの交流電圧が発生する。
【０００７】
トランス２の１次コイル２ａに発生した周波数ｆの交流電圧により、トランス２の２次コイル２ｂには、バックライト１を発光させるために必要な電圧まで昇圧された周波数ｆの交流電圧が発生する。この２次コイル２ｂの交流電圧によって、カップリングコンデンサを介してバックライト１のホット側に周波数ｆの駆動電流が供給され、バックライト１は発光する。なお、マイコン１００からの制御信号がバックライト１をＯＮさせるものであるときは、電源制御回路７はトランジスタ６にパルス信号を供給せず、トランジスタ６はＯＦＦしたままとなり、発振回路１２１に電源電圧が供給されず、発振回路１２１は発振を停止し、バックライト１には駆動電流が供給されず、バックライト１は発光しない。
【０００８】
バックライト１が発光しているとき、バックライト１のコールド側に設けられた電流検出用抵抗によって、バックライト１に流れる電流（供給された駆動電流）に比例する電圧が生成され、この電圧がバックライト１のコールド側から電源制御回路７に帰還される。電源制御回路７は、上記の帰還電圧をもとにバックライト１の光量を検知し、バックライト１の光量が一定になるように、トランジスタ６をスイッチングさせるパルス信号のデューティ比を調整する。トランジスタ６のＯＮの期間が短くなるほど、発振回路１２１に供給される電源電圧は低くなり、これによってバックライト１に供給される駆動電流は低くなり、バックライト１の光量は減少する。
【０００９】
【発明が解決しようとする課題】
従来のバックライト駆動回路は、以上のように構成されており、コンデンサのキャパシタンスとトランスのインダクタンスによる共振回路の共振周波数（発振回路の発振周波数）と同じ周波数の駆動電流がバックライトに供給されるため、バックライト駆動回路の発振周波数が、液晶ディスプレイモニタに入力された映像信号の水平周波数と近接している場合、バックライトの駆動電流の周波数と入力映像信号の周波数とが干渉し、画面に縞模様の輝度差（干渉縞）がノイズとして現れる場合がある。また、複数の周波数の映像信号を表示できる液晶ディスプレイモニタにおいては、入力映像信号の周波数が特定されておらず、入力映像信号がある周波数のときに画面に干渉縞ノイズが現れないようにバックライト駆動回路の発振周波数を設定しておいても、入力映像信号が別の周波数に変化すると、画面に干渉縞ノイズが現れることがある。
【００１０】
上記のような問題を解消するために、入力映像信号の水平周波数に応じて駆動電流の周波数（発振周波数）を変化させるバックライト駆動回路が提案されている。つまり、バックライト駆動回路の発振周波数を、入力映像信号の周波数よりも所定値だけ高くなるように調整する。あるいは、バックライト駆動回路の発振周波数を、入力映像信号の周波数よりも所定値だけ低くなるように調整する場合もある。このような技術は、例えば特開平５−１１３７６６号公報に記載されている。
【００１１】
しかしながら、上記の入力映像信号の水平周波数に応じてバックライト駆動回路の発振周波数を変化させる従来のバックライト駆動回路では、以下に説明する問題がある。バックライトには、通常、最も効率よく発光する周波数範囲がある。発振周波数を入力映像信号の周波数よりも所定値だけ高くなるよう設定する場合には、入力映像信号の周波数が上記の周波数範囲の上限近くの周波数であると、設定される発振周波数は、上記の周波数範囲から外れ、バックライトの発光効率が低下してしまうことがある。また、発振周波数を入力映像信号の周波数よりも所定値だけ低くなるよう設定する場合には、入力映像信号の周波数が上記の周波数範囲の下限近くの周波数であると、設定される発振周波数は、上記の周波数範囲から外れ、バックライトの発光効率が低下してしまうことがある。
【００１２】
本発明は、上記のような従来の問題を解消するためになされたものであり、干渉縞ノイズを発生させず、バックライトの発光効率を低下させないバックライト駆動回路を提供することを目的とする。
【００１３】
【課題を解決するための手段】
上記の目的を達成するために本発明の請求項１記載のバックライト駆動回路は、液晶ディスプレイモニタのバックライトを駆動するバックライト駆動回路において、ＬＣ共振回路を有し、このＬＣ共振回路の共振周波数で発振し、この発振周波数の駆動信号を上記バックライトに供給する発振回路と、入力映像信号の周波数を検出し、検出した周波数に応じて上記発振回路の発振周波数を調整する制御手段とを備え、上記制御手段が、入力映像信号の周波数が所定のしきい値以下であるとき、上記発振周波数が上記しきい値よりも大きくなるように、上記ＬＣ共振回路の容量値またはインダクタンス値を切り替え、入力映像信号の周波数が上記しきい値よりも大きいとき、上記発振周波数が上記しきい値以下になるように、上記ＬＣ共振回路の容量値またはインダクタンス値を切り替えることを特徴とする。
【００１４】
また、本発明の請求項２記載のバックライト駆動回路は、上記ＬＣ共振回路が、第１のノードと第２のノードの間に並列に接続されたＮ（Ｎは２以上の整数）個のコンデンサと、上記Ｎ個の内の（Ｎ−１）個のコンデンサにそれぞれ直列に設けられ、ＯＮのときコンデンサと第２のノードの間を接続し、ＯＦＦのときコンデンサと第２のノードの間を開放する（Ｎ−１）個のスイッチとを有し、上記制御手段が、上記（Ｎ−１）個のスイッチをそれぞれＯＮ／ＯＦＦさせることにより、上記Ｎ個のコンデンサによる合成容量を変化させ、入力映像信号の周波数が上記しきい値以下であるとき、上記発振周波数を上記しきい値よりも大きな値とし、入力映像信号の周波数が上記しきい値よりも大きいとき、上記発振周波数を上記しきい値以下の値とすることを特徴とする。
【００１５】
また、本発明の請求項３記載のバックライト駆動回路は、上記請求項２記載のバックライト駆動回路において、Ｎ≧３であり、上記制御手段が、入力映像信号の周波数が上記しきい値以下であるとき、上記発振周波数を、上記しきい値よりも大きな値であって、入力映像信号の周波数の整数倍および整数分の１倍に近接しない値とし、入力映像信号の周波数が上記しきい値よりも大きいとき、上記発振周波数を、上記しきい値以下の値であって、入力映像信号の周波数の整数倍および整数分の１倍に近接しない値とすることを特徴とする。
【００１６】
また、本発明の請求項４記載のバックライト駆動回路は、上記ＬＣ共振回路が、直列に接続されたＮ（Ｎは２以上の整数）個のコンデンサと、上記Ｎ個の内の（Ｎ−１）個のコンデンサにそれぞれ並列に設けられ、ＯＮのときコンデンサの端子間を短絡させ、ＯＦＦのときコンデンサの端子間を開放する（Ｎ−１）個のスイッチとを有し、上記制御手段が、上記（Ｎ−１）個のスイッチをそれぞれＯＮ／ＯＦＦさせることにより、上記Ｎのコンデンサによる合成容量を変化させ、入力映像信号の周波数が上記しきい値以下であるとき、上記発振周波数を上記しきい値よりも大きな値とし、入力映像信号の周波数が上記しきい値よりも大きいとき、上記発振周波数を上記しきい値以下の値にすることを特徴とする。
【００１７】
また、本発明の請求項５記載のバックライト駆動回路は、上記ＬＣ共振回路が、途中にＮ（Ｎは２以上の整数）個のタップを設けたコイルと、隣接するタップ間にそれぞれ設けられ、ＯＮのときタップ間を短絡し、ＯＦＦのときタップ間を開放する（Ｎ−１）個のスイッチとを有し、上記制御手段が、上記（Ｎ−１）個のスイッチをそれぞれＯＮ／ＯＦＦさせることにより、上記コイルのインダクタンス値を変化させ、入力映像信号の周波数が上記しきい値以下であるとき、上記発振周波数を上記しきい値よりも大きな値とし、入力映像信号の周波数が上記しきい値よりも大きいとき、上記発振周波数を上記しきい値以下の値とすることを特徴とする。
【００１８】
また、本発明の請求項６記載のバックライト駆動回路は、上記バックライトに供給された上記駆動信号を上記制御手段に帰還させる手段をさらに備え、上記制御手段が、上記帰還された駆動信号の周波数を検出し、検出した周波数をもとに、上記ＬＣ共振回路の容量値またはインダクタンス値を切り替えることを特徴とする。
【００１９】
【発明の実施の形態】
実施の形態１．
図１は本発明の実施の形態１のバックライト駆動回路の構成図である。図１において、１は液晶ディスプレイモニタのバックライト、２はバックライト１を駆動するトランス、２ａはトランス２の１次コイル、２ｂはトランス２の２次コイル、２ｃはトランス２の３次コイル、３はトランス２のインダクタンスとＬＣ共振回路を構成するコンデンサ、４，５は上記のＬＣ共振回路を発振させるためのトランジスタ（ここではｎｐｎバイポーラトランジスタ）、６はバックライト１をＯＮ／ＯＦＦするとともにバックライト１の光量を調節するためのトランジスタ（ここではｐｎｐバイポーラトランジスタ）、７はトランジスタ６をスイッチングさせる電源制御回路、８は発振周波数調整用コンデンサ、９は発振周波数切替用スイッチ、１０はマイコン（制御手段）、２１は発振回路である。実施の形態１のバックライト駆動回路は、トランス２と、コンデンサ３と、トランジスタ４，５，６と、電源制御回路７と、発振周波数調整用コンデンサ８と、発振周波数切替用スイッチ９と、マイコン１０とを備えている。
【００２０】
［バックライト１］
バックライト１は、バックライト駆動回路によってＯＮ／ＯＦＦ駆動され、ＯＮ（発光）のとき、液晶ディスプレイの画面を照明する。このバックライト１は、例えば蛍光燈からなり、バックライト駆動回路から駆動電流を供給されるとＯＮし、上記駆動電流の供給が停止されるとＯＦＦする（非発光となる）。
【００２１】
［ＬＣ共振回路］
トランス２と、コンデンサ３と、発振周波数調整用コンデンサ８と、発振周波数切替用スイッチ９とは、ＬＣ共振回路（コイルとコンデンサによる共振回路）を構成している。トランス２の１次コイル２ａの両端は、ノードＮ1，Ｎ2にそれぞれ接続されており、１次コイル２ａの中間タップは、電源電圧が供給されるノードＮ3に接続されている。コンデンサ３および８は、ノードＮ1とＮ2の間に並列に設けられている。発振周波数切替用スイッチ９は、コンデンサ８に直列に設けられており、マイコン１０からの制御信号に従って動作し、ＯＮのときコンデンサ８とノードＮ2の間を接続し、ＯＦＦのときコンデンサ８とノードＮ2の間を開放する。
【００２２】
上記のＬＣ共振回路は、スイッチ９がＯＦＦのときには、コンデンサ３の容量とトランス２のインダクタンスとによる共振周波数で共振する。また、スイッチ９がＯＮのときには、コンデンサ３および８の並列合成容量とトランス２のインダクタンスとによる共振周波数で共振する。トランス２のインダクタンス値をＬ0とし、コンデンサ３の容量値またはコンデンサ３，８の並列合成容量値をＣ0とすると、上記のＬＣ共振回路の共振周波数ｆは、
ｆ＝１／｛２π√（Ｌ0Ｃ0）｝
である。
【００２３】
［発振回路２１］
トランス２と、コンデンサ３と、トランジスタ４，５と、発振周波数調整用コンデンサ８と、発振周波数切替用スイッチ９とは、発振回路２１を構成している。つまり、上記のＬＣ共振回路と、トランジスタ４，５とは、発振回路２１を構成している。トランス２の２次コイル２ｂの一方の端子は、カップリングコンデンサを介してバックライト１のホット側に接続されており、２次コイル２ｂの他方の端子は接地されている。トランジスタ４，５のベース電極は、トランス２の３次コイル２ｃの両端にそれぞれ接続されるとともに、バイアス抵抗を介してノードＮ3に接続されている。また、トランジスタ４，５のコレクタ電極は、ノードＮ1，Ｎ2にそれぞれ接続されている。また、トランジスタ４，５のエミッタ電極は、ともに接地されている。
【００２４】
発振回路２１は、ノードＮ3（１次コイル２ａの中間タップ）に電源電圧が供給されているときに、ＬＣ共振回路の共振周波数ｆで継続的に発振し、周波数ｆの駆動電流をバックライト１に供給する。また、発振回路２１は、上記の電源電圧の供給が停止されているときには、発振を停止し、上記の駆動電流供給を停止する。上記の電源電圧が供給されているときには、トランジスタ４，５は、一方がＯＮすると他方がＯＦＦするようにスイッチング動作し、ＬＣ共振回路を継続的に発振させる。また、上記の電源電圧が供給されているときには、トランス２の１次コイル２ａの両端には、周波数ｆの交流電圧が誘起される。また、上記の電源電圧が供給されているときには、トランス２の２次コイル２ｂは、１次コイル２ａに誘起された交流電圧を昇圧し、この昇圧した交流電圧によって周波数ｆの駆動電流をバックライト１に供給する。
【００２５】
上記の電源電圧が供給されているときの発振回路２１についてさらに詳細に説明する。ノードＮ3に電源電圧が供給され、ノードＮ3の電位が上昇すると、トランジスタ４，５がＯＮし、１次コイル２ａにおいて、中間タップからノードＮ1およびＮ2に電流が流れる（ノードＮ1に流れる電流を第１の電流とし、ノードＮ2に流れる電流を第２の電流とする）。このとき、例えば１次コイル２ａに流れる第１の電流によって、３次コイル２ｃにも電流が流れる。この３次コイル２ｃに流れる電流によって、トランジスタ４のみがＯＦＦする。
【００２６】
トランジスタ４がＯＦＦすると、ＬＣ共振回路のコンデンサが上記第１の電流によって充電され、ノードＮ1の電位が上昇するとともに上記第１の電流が減少し、３次コイル２ｃに流れる電流の方向が反転する。３次コイル２ｃの電流の方向が反転すると、トランジスタ４がＯＮし、トランジスタ５がＯＦＦする。すると、ノードＮ1はトランジスタ４によって接地され、上記第１の電流が増加し、３次コイル２ｃに流れる電流の方向が再び反転する。また、ＬＣ共振回路のコンデンサは、上記第２の電流によって充電され、ノードＮ2の電位が上昇する。このようにして、発振回路２１はＬＣ共振回路の共振周波数ｆを発振周波数として継続的に発振し、１次コイル２ａの端子間には周波数ｆの交流電圧が誘起され、２次コイル２ｂからバックライト１に周波数ｆの駆動電流が供給される。
【００２７】
［電源制御回路７］
電源制御回路７は、マイコン１０からの制御信号がバックライト１をＯＮさせるものであるときは、トランジスタ６のベースにパルス信号を供給し、上記の制御信号がバックライト１をＯＦＦさせるものであるときは、上記のパルス信号の供給を停止する。また、電源制御回路７は、バックライト１のコールド側から帰還された電圧（電流検出用抵抗によるバックライト１に流れる電流に比例する電圧）によってバックライト１の光量を検知し、バックライト１の光量が一定になるように、上記パルス信号のデューティ比を調整する。
【００２８】
［トランジスタ６］
トランジスタ６は、電源制御回路７からのパルス信号によってスイッチングし（上記のパルス信号がローレベルの期間にＯＮし、ハイレベルの期間にＯＦＦする）、ＯＮの期間に電源電圧ＶDDをノードＮ4に供給する。また、トランジスタ６は、上記のパルス信号が供給されないときには、ＯＦＦしたままとなり、上記の電源電圧ＶDDの供給を停止する。トランジスタ６からノードＮ4に供給された電源電圧ＶDDは、チョークコイルおよびダイオードによって平滑化されるとともに上記パルス信号のデューティ比に応じた値に調整され、ノードＮ3（トランス２の１次コイル２ａの中間タップなど）に供給される。
【００２９】
［マイコン１０］
マイコン１０は、液晶ディスプレイに入力される映像信号に応じて電源制御回路７に制御信号を送り、バックライト１のＯＮ／ＯＦＦを制御する。例えば、液晶ディスプレイに映像信号が入力されているとき、バックライト１をＯＮさせ、液晶ディスプレイに映像信号が入力されていないとき、バックライト１をＯＦＦさせる。
【００３０】
また、マイコン１０は、入力映像信号の周波数（周波数の変化および周波数値）を検出し、入力映像信号の周波数に応じて、発振回路２１の発振周波数切替用スイッチ９を制御し、発振回路２１の発振周波数（ＬＣ共振回路の共振周波数）ｆを調整する。さらに具体的には、入力映像信号の周波数があらかじめ設定されたしきい値Ａ［Ｈｚ］以下であるときには、スイッチ９をＯＦＦさせ、発振周波数ｆをＡ［Ｈｚ］よりも大きな値にする。また、入力映像信号の周波数がＡ［Ｈｚ］よりも大きいときには、スイッチ９をＯＮさせ、発振周波数ｆをＡ［Ｈｚ］以下の値にする。
【００３１】
上記の発振周波数ｆは、スイッチ９をＯＦＦさせた場合とＯＮさせた場合のいずれにおいても、バックライト１が最も効率よく発光する周波数範囲内になるように設定される。また、上記のしきい値Ａ［Ｈｚ］も、上記の周波数範囲内で設定される。例えば、バックライト１が最も効率よく発光する周波数範囲が、４０〜６０［ｋＨｚ］であるとき、入力映像信号の周波数がＡ［Ｈｚ］以下であり、スイッチ９をＯＦＦさせた場合の発振周波数ｆ＝ｆ1は、
Ａ［Ｈｚ］＜ｆ1≦６０［ｋＨｚ］
となるように設定される。また、入力映像信号の周波数がＡ［Ｈｚ］よりも大きく、スイッチ９をＯＮさせた場合の発振周波数ｆ＝ｆ2は、
４０［ｋＨｚ］≦ｆ2＜Ａ［Ｈｚ］
となるように設定される。
【００３２】
図２は本発明の実施の形態１のバックライト駆動回路による発振周波数の制御手順を説明するフローチャートである。以下、入力映像信号の周波数が切り替わったときの実施の形態１のバックライト駆動回路動作を、図２のフローチャートを参照して説明する。
【００３３】
マイコン１０は、入力映像信号の周波数（水平周波数）の変化を監視しており、図２のステップＳ１において、入力映像信号の周波数が変化したことを検出すると、ステップＳ２において、電源制御回路７に制御信号を送り、電源制御回路７によってトランジスタ６をＯＦＦさせる（電源制御回路７は、パルス信号の供給を停止する）。すると、発振回路２１には電源が供給されなくなり、発振回路２１は発振を停止する。
【００３４】
次に、マイコン１０は、ステップＳ３において、入力映像信号の周波数（周波数値）を検出し、この映像信号の周波数を、あらかじめ設定されているしきい値Ａ［Ｈｚ］と比較する。そして、上記映像信号の周波数がＡ［Ｈｚ］以下であれば、ステップＳ４において、発振周波数切替用スイッチ９をＯＦＦさせ、上記映像信号の周波数がＡ［Ｈｚ］以下でなければ（Ａ［Ｈｚ］よりも大きければ）、ステップＳ５において、発振周波数切替用スイッチ９をＯＮさせる。
【００３５】
上記映像信号の周波数がＡ［Ｈｚ］以下であり、発振周波数切替用スイッチ９がＯＦＦされたときの発振回路２１の発振周波数ｆ＝ｆ1は、コンデンサ３の容量値をＣ1、トランス２のインダクタンス値をＬとすると、
ｆ1＝１／｛２π√（ＬＣ1）｝
となる。このときの発振周波数ｆ1は、上記のＣ1およびＬの値をあらかじめ調整しておくことによって、しきい値Ａ［Ｈｚ］よりも大きな値になるようにあらかじめ設定されている。また、上記映像信号の周波数がＡ［Ｈｚ］よりも大きく、スイッチ９がＯＮされたときの発振回路２１の発振周波数ｆ＝ｆ2は、コンデンサ８の容量値をＣ2とすると、
ｆ＝ｆ2＝１／［２π√｛Ｌ（Ｃ1＋Ｃ2）｝］
となる。このときの発振周波数ｆ2は、上記のＣ1、Ｃ2、およびＬの値をあらかじめ調整しておくことによって、しきい値Ａ［Ｈｚ］よりも小さな値になるようにあらかじめ設定されている。
【００３６】
バックライト１が最も効率よく発光する周波数範囲が、４０〜６０［ｋＨｚ］であるとき、しきい値Ａ［Ｈｚ］は、例えばその中間の５０［ｋＨｚ］に設定される。また、入力映像信号の周波数がＡ［Ｈｚ］以下のとき（スイッチ９がＯＦＦのとき）の発振周波数ｆ1は、例えば６０［ｋＨｚ］に設定され、入力映像信号の周波数がＡ［Ｈｚ］よりも大きいとき（スイッチ９がＯＮのとき）の発振周波数ｆ2は、例えば４０［ｋＨｚ］に設定される。なお、バックライト駆動回路の発振周波数ｆ（ｆ1およびｆ2）は、実際には、バックライト１のインピーダンスや、バックライト１と筐体間の浮遊容量によって変化するため、あらかじめ実験により確認しておくことが必要である。
【００３７】
図２のステップＳ４またはＳ５のあと、マイコン１０は、電源制御回路７に制御信号を送り、電源制御回路７によって再びトランジスタ６をスイッチングさせる（電源制御回路７は、再びパルス信号の供給を開始する）。すると、再び発振回路２１に電源が供給され、発振回路２１は発振を再開し、バックライト１に再び駆動電流が供給される。上記の駆動電流の周波数は、入力映像信号の周波数がＡ［Ｈｚ］以下のときには、Ａ［Ｈｚ］よりも大きい上記のｆ1であり、入力映像信号の周波数がＡ［Ｈｚ］よりも大きいときには、Ａ［Ｈｚ］以下である上記のｆ2である。
【００３８】
このように実施の形態１によれば、マイコン１０によって入力映像信号の周波数を検出し、入力映像信号の周波数がしきい値Ａ［Ｈｚ］以下のときには、発振周波数がしきい値Ａ［Ｈｚ］よりも大きくなるようにスイッチ９をＯＦＦして共振回路の容量をコンデンサ３の容量のみとし、入力映像信号の周波数がしきい値Ａ［Ｈｚ］よりも大きいときには、発振周波数がしきい値Ａ［Ｈｚ］以下になるようにスイッチ９をＯＮして共振回路の容量をコンデンサ３および８の並列合成容量とすることにより、入力映像信号の任意の周波数に対し、駆動電流の周波数（バックライト駆動回路の発振周波数）を、バックライトが最も効率よく発光する周波数範囲内において入力映像信号の周波数に近接しない周波数に調整することができるので、バックライトの発光効率を低下させることなく干渉縞ノイズの発生を回避することができる。
【００３９】
実施の形態２．
図３は本発明の実施の形態２のバックライト駆動回路の発振回路２２の構成図である。図３において、図１と同じものには同じ符号を付してあり、１１は発振周波数調整用コンデンサ、１２は発振周波数切替用スイッチである。実施の形態２のバックライト駆動回路は、上記実施の形態１のバックライト駆動回路（図１参照）において、発振回路２１を図３の発振回路２２に変更したものである。
【００４０】
実施の形態２の発振回路２２は、トランス２と、コンデンサ３と、トランジスタ４，５と、発振周波数調整用コンデンサ１１と、発振周波数切替用スイッチ１２とを有する。この発振回路２２において、トランス２と、コンデンサ３と、発振周波数調整用コンデンサ１１と、発振周波数切替用スイッチ１２とは、ＬＣ共振回路を構成している。コンデンサ３および１１は、ノードＮ1とＮ2の間に直列に設けられている。コンデンサ３はノードＮ1とＮ5の間に設けられ、発振周波数調整用コンデンサ１１はノードＮ2とＮ5の間に設けられている。発振周波数切替用スイッチ１２は、コンデンサ１１の並列に設けられており、マイコン１０からの制御信号に従って動作し、ＯＮのときコンデンサ１１の端子間（ノードＮ2とＮ5の間）を短絡し、ＯＦＦのときコンデンサ１１の端子間を開放する。
【００４１】
上記のＬＣ共振回路は、スイッチ１２がＯＦＦのときには、コンデンサ３および１１の直列合成容量とトランス２のインダクタンスとによる共振周波数ｆ＝ｆ3で共振する。また、スイッチ１２がＯＮのときには、コンデンサ３の容量とトランス２のインダクタンスとによる共振周波数ｆ＝ｆ4（＜ｆ3）で共振する。
【００４２】
この実施の形態２においては、マイコン１０は、入力映像信号の周波数があらかじめ設定されたしきい値Ａ［Ｈｚ］以下であるときには、スイッチ１２をＯＦＦさせ、発振周波数ｆをＡ［Ｈｚ］よりも大きなｆ3にする。また、入力映像信号の周波数がＡ［Ｈｚ］よりも大きいときには、スイッチ１２をＯＮさせ、発振周波数ｆをＡ［Ｈｚ］以下のｆ4にする。
【００４３】
上記の発振周波数ｆ3およびｆ4は、バックライトが最も効率よく発光する周波数範囲内になるように設定される。また、上記のしきい値Ａ［Ｈｚ］も、上記の周波数範囲内で設定される。例えば、バックライトが最も効率よく発光する周波数範囲が、４０〜６０［ｋＨｚ］であるとき、入力映像信号の周波数がＡ［Ｈｚ］以下であり、スイッチ１２をＯＦＦさせた場合の発振周波数ｆ3は、
Ａ［Ｈｚ］＜ｆ3≦６０［ｋＨｚ］
となるように設定される。また、入力映像信号の周波数がＡ［Ｈｚ］よりも大きく、スイッチ１２をＯＮさせた場合の発振周波数ｆ4は、
４０［ｋＨｚ］≦ｆ4＜Ａ［Ｈｚ］
となるように設定される。
【００４４】
ＬＣ共振回路のコンデンサには、通常１［Ａ］程度の電流が流れる。上記実施の形態１のように、コンデンサを並列に接続すると、それぞれのキャパシタンスが大きく異なっている場合、それぞれのコンデンサに流れる電流もそれに比例して大きく異なる。通常、ＬＣ共振回路のコンデンサには、実装スペースなどの条件によって、特殊な、小型で大電流用のものが用いられるが、電流が大きく異なることにより、コンデンサの自己発熱や、温度特性といった諸特性に影響が現れ、コンデンサの選定に困難する場合がある。これに対し、この実施の形態２のように、２個のコンデンサを直列に接続した場合は、それぞれのコンデンサに流れる電流は同じであるため、同等の特性を持った２個のコンデンサを用いても、流れる電流が異なることによる上記諸特性のずれを生じることがなく、コンデンサの選定が容易になるという利点がある。
【００４５】
このように実施の形態２によれば、マイコン１０によって入力映像信号の周波数を検出し、入力映像信号の周波数がしきい値Ａ［Ｈｚ］以下のときには、発振周波数がしきい値Ａ［Ｈｚ］よりも大きくなるようにスイッチ１２をＯＦＦして共振回路の容量をコンデンサ３および１１の直列合成容量のみとし、入力映像信号の周波数がしきい値Ａ［Ｈｚ］よりも大きいときには、発振周波数がしきい値Ａ［Ｈｚ］以下になるようにスイッチ１２をＯＮして共振回路の容量をコンデンサ３の容量のみとすることにより、上記実施の形態１と同じように、入力映像信号の任意の周波数に対し、駆動電流の周波数（バックライト駆動回路の発振周波数）を、バックライトが最も効率よく発光する周波数範囲内で、かつ入力映像信号の周波数に近接せず、画面に干渉縞ノイズを発生させない周波数に調整することができるので、バックライトの発光効率を低下させることなく干渉縞ノイズの発生を回避することができる。
【００４６】
また、共振回路のコンデンサ３および１１を直列に接続することにより、これらのコンデンサに流れる電流は同じになるため、コンデンサの選定の際に、流れる電流が異なることによるコンデンサの諸特性のずれを考慮する必要がない。
【００４７】
実施の形態３．
図４は本発明の実施の形態３のバックライト駆動回路の発振回路２３の構成図である。図４において、図１と同じものには同じ符号を付してあり、８，１３，１５は発振周波数調整用コンデンサ、９，１４，１６は発振周波数切替用スイッチである。実施の形態３のバックライト駆動回路は、上記実施の形態１のバックライト駆動回路（図１参照）において、発振回路２１を図４の発振回路２３に変更したものである。
【００４８】
実施の形態３の発振回路２３は、トランス２と、コンデンサ３と、トランジスタ４，５と、発振周波数調整用コンデンサ８，１３，１５と、発振周波数切替用スイッチ９，１４，１６とを有する。この発振回路２３において、トランス２と、コンデンサ３と、発振周波数調整用コンデンサ８，１３，１５と、発振周波数切替用スイッチ９，１４，１６とは、ＬＣ共振回路を構成している。コンデンサ３，８，１３，１５は、ノードＮ1とＮ2の間に並列に設けられている。発振周波数切替用スイッチ９は、コンデンサ８に直列に設けられており、マイコン１０からの制御信号に従って動作し、ＯＮのときコンデンサ８とノードＮ2の間を接続し、ＯＦＦのときコンデンサ８とノードＮ2の間を開放する。また、発振周波数切替用スイッチ１４は、コンデンサ１３に直列に設けられており、マイコン１０からの制御信号に従って動作し、ＯＮのときコンデンサ１３とノードＮ2の間を接続し、ＯＦＦのときコンデンサ１３とノードＮ2の間を開放する。また、発振周波数切替用スイッチ１６は、コンデンサ１５に直列に設けられており、マイコン１０からの制御信号に従って動作し、ＯＮのときコンデンサ１５とノードＮ2の間を接続し、ＯＦＦのときコンデンサ１５とノードＮ2の間を開放する。
【００４９】
上記のＬＣ共振回路は、スイッチ９，１４，１６が全てＯＦＦのときには、コンデンサ３の容量とトランス２のインダクタンスとによる共振周波数ｆ＝ｆ5で共振する。また、スイッチ９，１４，１６のいずれか１個がＯＮのときには、コンデンサ３および上記ＯＮのスイッチに直列接続された１個のコンデンサの並列合成容量とトランス２のインダクタンスとによる共振周波数ｆ＝ｆ6（＜ｆ5）で共振する。また、スイッチ９，１４，１６のいずれか２個がＯＮのときには、コンデンサ３および上記ＯＮのスイッチに直列接続された２個のコンデンサの並列合成容量とトランス２のインダクタンスとによる共振周波数ｆ＝ｆ7（＜ｆ5）で共振する。また、スイッチ９，１４，１６の全てがＯＮのときには、コンデンサ３８，１３、１５の並列合成容量とトランス２のインダクタンスとによる共振周波数ｆ＝ｆ8（＜ｆ6，ｆ7）で共振する。このＬＣ共振回路を有する発振回路２３は、コンデンサ８，１３，１５の容量値が互いに異なるものであるとき、スイッチ９，１４，１６の設定によって、最大９種類の周波数で発振が可能である。
【００５０】
この実施の形態３においては、マイコン１０は、入力映像信号の周波数があらかじめ設定されたしきい値Ａ［Ｈｚ］以下であるときには、スイッチ９，１４，１６を制御し、発振周波数ｆを、Ａ［Ｈｚ］よりも大きな値であって、入力映像信号の周波数の整数倍および整数分の１倍に近接しない値にする。また、入力映像信号の周波数がＡ［Ｈｚ］よりも大きいときには、スイッチ９，１４，１６を制御し、発振周波数ｆを、Ａ［Ｈｚ］以下の値であって、入力映像信号の周波数のＭ倍および１／Ｍ倍に近接しない値にする。
【００５１】
画面に干渉縞ノイズが現れる条件として、入力映像信号の周波数とバックライト駆動回路の発振周波数が近接している場合の他に、一方の周波数の整数倍が他方の周波数に近接している場合がある。発振周波数を２種類しか切り替えることができない上記実施の形態１の例では、入力映像信号の周波数が３０［ｋＨｚ］のときにバックライト駆動回路の発振周波数は６０［ｋＨｚ］に設定されるため、発振周波数が入力映像信号の周波数の２倍となり、画面に干渉縞ノイズが現れる可能性がある。これに対し、この実施の形態３のように、複数の発振周波数調整用コンデンサ（８，１３，１５）を設け、これらのコンデンサに個別に設けたスイッチ（９，１４，１６）のＯＮ／ＯＦＦを、発振周波数が入力映像信号の周波数の整数倍および整数分の１倍に近接しないように制御することによって、発振周波数が入力映像信号の周波数の整数倍および整数分の１倍に近接すると発生する干渉縞ノイズを回避することができる。
【００５２】
このように実施の形態３によれば、マイコン１０によって入力映像信号の周波数を検出し、入力映像信号の周波数がしきい値Ａ［Ｈｚ］以下のときには、発振周波数が、しきい値Ａ［Ｈｚ］よりも大きくなり、かつ入力映像信号の周波数の整数倍および整数分の１倍にならないようにスイッチ９，１４，１６を制御し、入力映像信号の周波数がしきい値Ａ［Ｈｚ］よりも大きいときには、発振周波数が、しきい値Ａ［Ｈｚ］以下になり、かつ入力映像信号の周波数の整数倍および整数分の１倍にならないようにスイッチ９，１４，１６を制御することにより、入力映像信号の任意の周波数に対し、駆動電流の周波数（バックライト駆動回路の発振周波数）を、バックライトが最も効率よく発光する周波数範囲内において、入力映像信号の周波数に近接せず、かつ入力映像信号周波数の整数倍および整数分の１倍に近接しない周波数に調整することができるので、バックライトの発光効率を低下させることなく、発振周波数が入力映像信号の周波数に近接すると発生する干渉縞ノイズ、および整数倍および整数分の１倍に近接すると発生する干渉縞ノイズを回避することができる。
【００５３】
なお、上記実施の形態３では、４個のコンデンサ（３，８，１３，１５）を並列に接続するとともに、上記４個の内の３個のコンデンサ（８，１３，１５）に個別に３個のスイッチ（９，１４，１６）を設けたが、本発明のバックライト駆動回路においては、Ｎ（Ｎは２以上の整数）個のコンデンサを並列に接続するとともに、上記Ｎ個の内の（Ｎ−１）個のコンデンサに個別に（Ｎ−１）個のスイッチを設けた構成とすることも可能である。
【００５４】
また、上記実施の形態２では、２個のコンデンサを直列に接続するとともに、上記２個の内の１個のコンデンサに並列に１個のスイッチを設けたが、本発明のバックライト駆動回路においては、Ｎ（Ｎは２以上の整数）個のコンデンサを直列に接続するとともに、上記Ｎ個の内の（Ｎ−１）個のコンデンサに個別に（Ｎ−１）個のスイッチを設けた構成とすることも可能である。
【００５５】
実施の形態４．
図５は本発明の実施の形態４のバックライト駆動回路の発振回路２４の構成図である。図５において、図１または図７と同じものには同じ符号を付してあり、１７，１８は発振周波数切替用スイッチ、１９はトランス、１９ａはトランス１９の１次コイルである。実施の形態４のバックライト駆動回路は、上記実施の形態１のバックライト駆動回路（図１参照）において、発振回路２１を図５の発振回路２４に変更したものである。
【００５６】
実施の形態４の発振回路２４は、トランス１９と、コンデンサ３と、トランジスタ４，５と、発振周波数切替用スイッチ１７，１８とを有する。この発振回路２４において、トランス１９と、コンデンサ３と、発振周波数切替用スイッチ１７，１８とは、ＬＣ共振回路を構成している。トランス１９は、上記実施の形態１のトランス２（図１参照）において、１次コイル２ａを、１次コイル１９ａに変更したものである。１次コイル１９ａの途中には、電源電圧が供給される中間タップＴ0の他に、２個のタップＴ1，Ｔ2が設けられている。発振周波数切替用スイッチ１７は、１次コイル１９ａのタップＴ0−Ｔ1間に設けられており、マイコン１０からの制御信号に従って動作し、ＯＮのときタップＴ0−Ｔ1間を短絡し、ＯＦＦのときタップＴ0−Ｔ1間を開放する。また、発振周波数切替用スイッチ１８は、１次コイル１９ａのタップＴ0−Ｔ2間に設けられており、マイコン１０からの制御信号に従って動作し、ＯＮのときタップＴ0−Ｔ2間を短絡し、ＯＦＦのときタップＴ0−Ｔ2間を開放する。
【００５７】
コンデンサとトランスのインダクタンスから構成されるＬＣ共振回路において、上記実施形態１〜３のようにコンデンサの容量を変化させることによって共振周波数を変化させることと、トランスのインダクタンスを変化させることによって共振周波数を変化させることは等価である。この実施の形態４のバックライト駆動回路は、トランスのインダクタンスを変化させることによって発振回路２４の発振周波数を変化させる構成である。上記実施の形態１〜３の発振回路が、従来の発振回路にスイッチおよびコンデンサを追加する必要があるのに対し、この実施の形態４の発振回路２４は、従来の発振回路にスイッチを追加したものである。コンデンサおよびスイッチを追加するよりも、トランスの変更を伴ってもスイッチのみを追加するほうが、実装面積や価格の面から有利な場合には、この実施の形態４の構成が適している。
【００５８】
上記のＬＣ共振回路は、コンデンサ３の容量とトランス１９のインダクタンスとによる共振周波数で共振する。スイッチ１７，１８がともにＯＦＦのときのトランス１９のインダクタンスは、スイッチ１７，１８のいずれか１個がＯＮのときのインダクタンスよりも大きい。また、スイッチ１７，１８のいずれか１個がＯＮのときのトランス１９のインダクタンスは、スイッチ１７，１８がともにＯＮのときのインダクタンスよりも大きい。従って、上記のＬＣ共振回路は、スイッチ１７，１８がともにＯＦＦのときには、共振周波数ｆ＝ｆ9で共振し、スイッチ１７，１８のいずれか１個がＯＮのときには、共振周波数ｆ＝ｆ10（＞ｆ9）で共振し、スイッチ１７，１８がともにＯＮのときには、共振周波数ｆ＝ｆ11（＞ｆ10）で共振する。
【００５９】
この実施の形態４においては、マイコン１０は、入力映像信号の周波数があらかじめ設定されたしきい値Ａ［Ｈｚ］以下であるときには、スイッチ１７，１８を制御し、発振周波数ｆをＡ［Ｈｚ］よりも大きな値にする。また、入力映像信号の周波数がＡ［Ｈｚ］よりも大きいときには、スイッチ１７，１８を制御し、発振周波数ｆをＡ［Ｈｚ］以下の値にする。
【００６０】
このように実施の形態４によれば、マイコン１０によって入力映像信号の周波数を検出し、入力映像信号の周波数がしきい値Ａ［Ｈｚ］以下のときには、発振周波数がしきい値Ａ［Ｈｚ］よりも大きくなるように、トランス１９の１次コイル１９の隣接するタップ間に設けたスイッチ１７，１８を制御し、入力映像信号の周波数がしきい値Ａ［Ｈｚ］よりも大きいときには、発振周波数がしきい値Ａ［Ｈｚ］以下になるように、上記タップ間に設けたスイッチ１７，１８を制御することにより、上記実施の形態１と同じように、入力映像信号の任意の周波数に対し、駆動電流の周波数（バックライト駆動回路の発振周波数）を、バックライトが最も効率よく発光する周波数範囲内において入力映像信号の周波数に近接しない周波数に調整することができるので、バックライトの発光効率を低下させることなく干渉縞ノイズの発生を回避することができる。
【００６１】
また、トランスのインダクタンスを変化させる構成としたことにより、コンデンサを追加することなく、スイッチの追加のみによって、本発明のバックライト駆動回路を実現できる。
【００６２】
なお、上記実施の形態４では、１次コイルの途中に３個のタップ（Ｔ0，Ｔ1，Ｔ2）を設け、隣接するタップ間にそれぞれ２個のスイッチ（１７，１８）を設けたが、本発明のバックライト駆動回路においては、１次コイルの途中にＮ（Ｎは２以上の整数）個のタップ（ただし、電源電圧が供給される中間タップＴ0を除くことも可）を設け、隣接するタップ間にそれぞれ（Ｎ−１）個のスイッチを設けた構成とすることも可能である。
【００６３】
実施の形態５．
図６は本発明の実施の形態５のバックライト駆動回路の構成図である。図６において、図１と同じものには同じ符号を付してあり、２０はマイコン（制御手段）、２５は波形整形回路である。実施の形態５のバックライト駆動回路は、上記実施の形態１のバックライト駆動回路（図１参照）において、波形整形回路２５を設け、マイコン１０をマイコン２０に変更したものである。
【００６４】
波形整形回路２５は、バックライト１のコールド側から電源制御回路７に帰還される電圧（電流検出用抵抗によるバックライト１に流れる電流に比例する電圧）を整形し、マイコン２０に出力する。つまり、波形整形回路２５は、バックライト１に供給された駆動信号をマイコン２０に帰還させる。
【００６５】
マイコン２０は、上記実施の形態１のマイコン１０（図１参照）において、波形整形回路２５によって帰還された駆動信号から周波数を検出し（この検出した周波数は、トランス２からバックライト１に供給される駆動電流の周波数に相当する）、この帰還された駆動信号の周波数（＝駆動電流の周波数）をもとにスイッチ９を制御する機能を設けたものである。さらに具体的には、マイコン２０は、検出した駆動電流の周波数を別途検出した入力映像信号の周波数と比較し、バックライト駆動回路の実際の発振周波数やバックライト１に供給されている駆動電流の実際の周波数が設計上の発振周波数からずれることによって、駆動電流の実際の周波数が入力映像信号の周波数に近接しないように、スイッチ９を制御する。あるいは、マイコン２０は、検出した駆動電流の周波数に応じて、しきい値Ａ［Ｈｚ］を補正する。例えば、スイッチ９をＯＮしたときの駆動電流の実際の周波数と、スイッチ９をＯＦＦしたときの駆動電流の実際の周波数との中間値になるように、しきい値Ａ［Ｈｚ］を補正する。
【００６６】
バックライト駆動回路においては、コンデンサやトランスの個体差、あるいは駆動するバックライトの個体差などによって、発振周波数にも個体差が現れる。バックライト駆動回路の設計上の発振周波数がバックライトが最も効率よく発光する周波数範囲の上限および下限であると、上記の個体差によって実際の発振周波数（スイッチ９をＯＮしたときまたはＯＦＦしたときの発振周波数が、上記の周波数範囲から外れてしまう場合がある。これを回避するためには、例えば上記の周波数範囲が４０〜６０［ｋＨｚ］であり、しきい値Ａが５０［ｋＨｚ］の場合には、設計上の発振周波数を、４０［ｋＨｚ］および６０［ｋＨｚ］とするのではく、例えば４５［ｋＨｚ］および５５［ｋＨｚ］とする必要がある。このとき、例えば設計上の発振周波数４５［ｋＨｚ］、５５［ｋＨｚ］に相当する実際の発振周波数が上記の個体差によってそれぞれ４２［ｋＨｚ］、５２［ｋＨｚ］であったとすると、上記のしきい値Ａ以下である周波数４８［ｋＨｚ］の入力映像信号については、発振周波数（駆動電流の周波数）は、５２［ｋＨｚ］ではなく、４２［ｋＨｚ］であることが望ましい。そこで、この実施の形態５では、駆動信号の実際の周波数を検出し、この駆動信号の周波数をもとにスイッチ９を制御する（スイッチ９の制御を補正する）ことによって、上記の個体差に起因する干渉縞ノイズが発生するのを回避している。
【００６７】
このように実施の形態５によれば、バックライトの駆動信号をマイコン２０に帰還させる波形整形回路２５を設け、マイコン２０によって上記帰還された駆動信号の周波数を検出し、検出した周波数をもとにスイッチ９を制御する（スイッチ９の制御を補正する）ことにより、コンデンサやトランスの個体差、あるいは駆動するバックライトの個体差などに起因する干渉縞ノイズが発生するのを回避することができる。
【００６８】
【発明の効果】
以上説明したように本発明のバックライト駆動回路によれば、制御手段によって入力映像信号の周波数を検出し、入力映像信号の周波数がしきい値以下のときには、発振周波数が上記のしきい値よりも大きくなるように共振回路の容量値またはインダクタンス値を調整し、入力映像信号の周波数が上記のしきい値よりも大きいときには、発振周波数が上記のしきい値以下になるように共振回路の容量値またはインダクタンス値を調整することにより、入力映像信号の任意の周波数に対し、駆動信号の周波数（バックライト駆動回路の発振周波数）を、バックライトが最も効率よく発光する周波数範囲内で、かつ入力映像信号の周波数に近接せず、画面に干渉縞ノイズを発生させない周波数に調整することができるので、バックライトの発光効率を低下させることなく干渉縞ノイズの発生を回避することができるという効果がある。
【００６９】
また、本発明の請求項３記載のバックライト駆動回路によれば、発振周波数が入力映像信号の周波数に近接すると発生する干渉縞ノイズのみならず、発振周波数が入力映像信号の周波数の整数倍および整数分の１倍に近接すると発生する干渉縞ノイズも回避することができるという効果がある。
【００７０】
また、本発明の請求項４記載のバックライト駆動回路によれば、Ｎ個のコンデンサを直列に接続することにより、これらのコンデンサに流れる電流は同じになるため、コンデンサの選定の際に、流れる電流が異なることによるコンデンサの諸特性のずれを考慮する必要がないという効果がある。
【００７１】
また、本発明の請求項５記載のバックライト駆動回路によれば、インダクタンス値を変化させる構成とすることにより、コンデンサを追加することなく、スイッチの追加のみによって、本発明のバックライト駆動回路を実現できるという効果がある。
【００７２】
また、本発明の請求項６記載のバックライト駆動回路によれば、コンデンサやトランスの個体差、あるいは駆動するバックライトの個体差などに起因する干渉縞ノイズが発生するのを回避することができるという効果がある。
【図面の簡単な説明】
【図１】  本発明の実施の形態１のバックライト駆動回路の構成図である。
【図２】  本発明の実施の形態１のバックライト駆動回路の発振周波数切替動作を説明するフローチャートである。
【図３】  本発明の実施の形態２のバックライト駆動回路における発振回路の構成図である。
【図４】  本発明の実施の形態３のバックライト駆動回路における発振回路の構成図である。
【図５】  本発明の実施の形態４のバックライト駆動回路における発振回路の構成図である。
【図６】  本発明の実施の形態５のバックライト駆動回路の構成図である。
【図７】  従来のバックライト駆動回路の構成図である。
【符号の説明】
１  バックライト、  ２，１９  トランス、  ２ａ，１９ａ  １次コイル、  ２ｂ  ２次コイル、  ２ｃ  ３次コイル、  ３  コンデンサ、  ４，５，６  トランジスタ、  ７  電源制御回路、  ８，１１，１３，１５  発振周波数調整用コンデンサ、  ９，１２，１４，１６，１７，１８  発振周波数切替用スイッチ、  １０，２０  マイコン、  ２１，２２，２３，２４  発振回路、  ２５  波形整形回路  Ｎ1，Ｎ2，Ｎ3，Ｎ4，Ｎ5  ノード、  Ｔ0，Ｔ1，Ｔ2  １次コイルのタップ。
【図１】
0004472126.tif 000002
【図２】
0004472126.tif 000003
【図３】
0004472126.tif 000004
【図４】
0004472126.tif 000005
【図５】
0004472126.tif 000006
【図６】
0004472126.tif 000007
【図７】
0004472126.tif 000008